(57)【要約】  ウェットワイプをディスペンシングするディスペンサーの一実施形態は、容器、前記容器に内蔵される複数のウェットワイプ及び前記容器に固定される弾性材から成るディスペンサーノズルを含む。前記ディスペンシングノズルは、ノズルに出口開口を含む。液受け部材は、前記開口の下方に位置される。他の実施形態では、複数のワイプを保持する容器を含む。ディスペンシングノズルは、前記容器に固定されている出口開口を有する弾性部材を含む。液受け部材は、前記出口下方に位置される。一実施形態では、前記液受け部材は、傾斜した面を有する。ウェットワイプのための前記ディスペンシングノズルの実施形態では、ディスペンシングノズルは、そこに配置されている開口を有するドーム形の弾性部材を含むものも開示されている。加えて、前記ディスペンシングノズルは、環状形の液受け部材も含む。前記環状形液受け部材は、傾斜した面を有してもよい。
2015523114.tif 000002
【特許請求の範囲】
【請求項１】
ウェットワイプ (104a)をディスペンスするためのディスペンサー (100)であって： 
容器(102)と; 
前記容器(102)内に備わる複数のウェットワイプ(104a)と；
前記容器(102)に固定されて弾性材から成るディスペンシングノズル (110) (310) と； 
前記ディスペンシングノズル(1120) (310)の出口開口(114) (314) と；及び 
前記出口開口(114) (314)の下方の点に位置される弾性の液受け部材(116) (316)を含むディスペンサー 。
【請求項２】
前記弾性の液受け部材(116) (316)及びディスペンシングノズル (110) (310)は、一体である請求項１記載のディスペンサー。
【請求項３】
前記ディスペンシングノズル (110) (310) 及び弾性の液受け部材 (116) (316) はシリコンを含む請求項１記載のディスペンサー。
【請求項４】
前記受け部材(116) (316) は、傾斜した面である請求項１記載のディスペンサー。
【請求項５】
前記ディスペンシングノズル(110) (310) はドームを形成し前記出口開口(114) (314)は円形状である請求項１記載のディスペンサー。
【請求項６】
請求項５に記載のディスペンサーは、さらに容器(102)のキャップ (106)を備えるものであって, 前記ディスペンシングノズル (110) (310)は前記キャップ(106)に位置されて保持リング(136) (450)によって配置保持されている請求項５に記載のディスペンサー。
【請求項７】
前記液受け部材(116) (316)は環状形である請求項１記載のディスペンサー。
【請求項８】
ウェットワイプ (104a)ディスペンサー (100)であって： 
複数のワイプ(104a)をホールドする容器 (102)と；
及び容器(102)に固定されているディスペンシングノズル(110) (310)と；
出口(114) (314)を有する弾性部材を備えるディスペンシングノズル(110) (310)と；及び 
前記出口(114) (314)下方に位置される弾性の液受け部材(116) (316)と；
を備え、前記弾性の液受け部材(116) (316)は、ディスペンスされるときにワイプ(104a)に接触するように構成されているウェットワイプディスペンサー。
【請求項９】
さらに複数のワイプ(104a)を備える請求項８記載のウェットワイプディスペンサー (100)。
【請求項１０】
前記液受け部材(116) (316)及びディスペンシングノズル (110) (310)が一体である請求項８記載のウェットワイプディスペンサー (100) 。
【請求項１１】
前記ディスペンシングノズル(110) (310) 及び前記液受け部材(116) (316) はシリコンを含む請求項８記載のウェットワイプディスペンサー (100)。
【請求項１２】
前記受け部材(116) (316) は、傾斜した面を有する請求項８記載のウェットワイプディスペンサー (100)。
【請求項１３】
前記ディスペンシングノズル (110) (310) はドームを形成し、前記出口(114) (314)は円形である請求項８記載のウェットワイプディスペンサー (100)。
【請求項１４】
ウェットワイプ(104a)のディスペンシングノズル(110) (310)は：
弾性のドーム形部材(112) (312)と；
前記ドーム形部材(112) (313)に位置される出口開口(114) (314)と；
弾性の環状形液受け部材(116) (316)と；
を備え、前記環状形液受け部材(116) (316)は、前記ディスペンシングノズル(110) (310)から引き出されるときにワイプ(104a)に接触するように構成されているウェットワイプ(104a)のディスペンシングノズル。
【請求項１５】
さらに容器(102)及びワイプ(104a)のロールを備える請求項１４記載のディスペンシングノズル(110) (310)。
【請求項１６】
前記液受け部材(116) (316)及び弾性のドーム形(112) (312)部材は、一体部品である請求項１４記載のディスペンシングノズル(110) (310)。
【請求項１７】
ディスペンシングノズル(110) (310)及び液受け部材(116) (316)はシリコンを含む請求項１４記載のディスペンシングノズル(110) (310) 。
【請求項１８】
前記液受け部材(116) (316)は傾斜した面を有する請求項１４記載のディスペンシングノズル(110) (310)。
【請求項１９】
前記出口開口(114) (314)は円形状である請求項１４記載のディスペンシングノズル(110) (310)。
【請求項２０】
請求項１４記載のディスペンシングノズル(110) (310)は、さらに容器(102)のキャップ(106)を含むものであって、前記ディスペンシングノズル(110) (310)は前記キャップ(106)に位置されて保持リング(136) (458)によって配置保持されている請求項１４記載のディスペンシングノズル(110) (310)。
【発明の詳細な説明】
【関連出願】
【０００１】
本出願は２０１３年３月１５日に出願された米国特許出願第13/832,750号「ワイプディスペンサーノズル」;及び２０１２年５月２１日に仮出願された米国特許出願第61/649,536号「ワイプディスペンサーノズル」の優先権とその利益を主張し、当該米国出願の内容は本出願に全体が組み込まれたものとする。
【技術分野】
【０００２】
本発明は、概してワイプ又はウエットタオルをディスペンスするディスペンサーに関する。より詳細には、本願発明は、ドームディスペンシングノズルに関する。
【背景技術】
【０００３】
ワイプは様々な素材から作られ、不織布材などから作られる。ワイプは、しばしば、抗菌剤溶液等の溶液に湿らされることがある。ワイプは、容器に積層され、折り畳まれ、又は、ロールの形態をとることがある。ロール形のワイプは、典型的には、互いくっついたままになるだけの十分な強さを持つミシン目をワイプ間に有し、ミシン目が引き裂かれる前に後続ワイプの先端が外にディスペンシングされ引き出されて、先頭のワイプが使用できるようにする。このようにして、後続ワイプの先端がユーザーに掴まれて容器から引き出される。
【発明の開示】
【０００４】
ウェットワイプをディスペンシングするディスペンサーの実施態形態がここで開示される。一実施例では、容器、前記容器の中の複数のウェットワイプ、及び弾性材から成って前記容器に固定されているディスペンシングノズルを含む。前記ディスペンサーノズルは、ノズルに出口開口を含む。弾性の液受け部材は、前記開口の下方の点に位置される。
【０００５】
他の実施例では、複数のワイプを保持する容器を含む。ディスペンシングノズルは、前記容器に固定されている。前記ディスペンシングノズルは、出口開口を有する弾性部材を含む。弾性の液受け部材は、前記開口の下方の点に位置される。一実施形態では、前記液受け部材は傾斜した面を有する。
【０００６】
ウェットワイプのディスペンシングノズルの実施形態は、前記ディスペンシングノズルがそこに位置される開口を有する弾性ドーム形部材を含むものとして開示される。さらに、前記ディスペンシングノズルは環状形の液受け部材を含む。前記環状形の液受け部材は傾斜した面を有するものもある。
【図面の簡単な説明】
【０００７】
本願発明のこれらの及び他の特徴と利点は、以下の記載、及び添付図面の参照によってよりよく理解されるであろう。ここで、：
【０００８】
図１は、ノズルと液受け部材を有するワイプディスペンサーの実施形態の断面図を示す；
【０００９】
図2は、そこにワイプディスペンシングノズルを備えるキャップを示す。
【００１０】
図３は、ノズル及び液受け部材の代替の実施形態の断面図を示し；並びに
【００１１】
図４は、図３の記載の前記ノズル及び液受け部材と共に使用される支持リングの断面図を示す。
【発明を実施するための形態】
【００１２】
図１及び２は、ウェットディスペンサー１００の実施例を示す。ウェットディスペンサー１００は容器１０２を含む。容器１０２の内側にはロールのワイプ１０４が位置されている。前記ロールのワイプ１０４は、ロールのワイプから個々のワイプを分離するのに使用されるミシン目１４０を有する。一実施態様では、前記個々のワイプは、前記二つのワイプが分離される前に前記開口を通過して前記先頭のワイプが前記後続のワイプを引き出すように共に折り畳まれている。ワイプディスペンサー１００は、容器１０２に固定されているキャップ１０６を含む。キャップ１０６は、何らの手段によって、例えば、ねじ結合、溶接結合、スナップ−フィット結合、接着ボンド結合又はそのようなものによって、容器１０２に固定されている。
【００１３】
キャップ１０６は、アパーチャ１２０を有するへこみ部１３２を含みワイプ１０４ａがパススルーできる。さらに、へこみ部１３２は、支持棚１３０を有する。支持棚１３０は、ディスペンサーノズル１１０の環状形突起部１１８を支持する。
【００１４】
ディスペンシングノズル１１０は、弾性材、例えば、シリコンなどから成る。ディスペンシングノズル１１０は幅狭のそこを貫通するアパーチャ又は開口１１４を有するドーム１１２を含む。開口１１４は、円形の断面有し、必要に応じ拡張して前記ワイプ１０４ａが前記開口１１４を通って引き出し可能とされる。ノズル１１０は、液受け部材１１６を含む。液受け部材１１６は傾斜した面を有する環状形部材である。一実施形態では、前記傾斜した面は、液をトラップし保持する。示されているように、液受け部材１１６はドーム１１２と統合成形され；しかし、液受け部材１１６はオプションとして分離部材でもよい。
【００１５】
ワイプディスペンサー１００は、保持リング１３６を含む。保持リング１３６はディスペンサーノズル１１０をキャップ１０６に固定する。保持リング１３６は、スナップ−フィット結合でキャップ１０６上の突起１３２及び保持リング１３６上の突起１３４によって保持されている。
【００１６】
一実施例では、キャップ１０６はスナップカバーを含んでもよい（図示しない）。スナップカバーが備えられるならば、ヒンジ部材が開口２０４にフィットし、前記カバーからアパーチャ２０６へと突起が拡がり、前記カバーは回転できるようになっている。前記カバーの一端側はスナップコネクタであって溝２０２にスナップして前記カバーを閉じた位置に保つ。カバーが使用されない実施形態では、開口２０４及び溝２０２は省くこともできる。
【００１７】
操作中は、ワイプ１０４ａはディスペンシングノズル１１０を通じて引き出される。ワイプ１０４ａは、ディスペンシングノズル１１０の狭い開口１１４を通って引き上げられるので、液が絞られ又はワイプ１０４ａから流出される。前記液は、ドーム１１２の内側に沿って移動し、液受け部材１１６に流れ落ちる。前記液は、前記ワイプ１０４ａの一部に接触し、液受け部材１１６を通過し、前記ワイプ１０４ａを再び湿らせる。従って、液受け部材１１６は前記ワイプ１０４ａ全体がウェットであるのに役立っている。さらに、液受け部材１１６は、長時間に亘り液を保持し、使用の間に前記ワイプ１０４ａが干上がってしまうのを防止するのに役立っている。一実施形態では、液受け部材１１６及び前記開口１１４のサイズが結合されて、キャップ１０６上の再閉カバー（図示しない）を不要とする。
【００１８】
さらに、ワイプがオリフィスを通じて引き出される操作中、液はしばしば前記ワイプからスプレーの形態で排出され、特に前記ワイプが容器から急に引き出されるとそうである。一実施形態では、液受け部材１１６は液がスプレーにより排出されるのを防止する。
【００１９】
図３及び４は、ディスペンシングノズル３１０及びディスペンシングノズル３１０と共に使用される支持リング４５０の代替実施形態を各々示す。ディスペンシングノズル３１０は、弾性材、例えば、シリコンから成る。ディスペンシングノズル３１０は、幅狭のアパーチャ又は開口３１４がそこを貫通するドーム３１２を含む。開口３１４は必要に応じ拡張する円形断面であり、ワイプ１０４ａ（図示しない）が前記開口３１４から引き出されるのを可能とする。ノズル３１０は、液受け部材３１６を含む。液受け部材３１６は、傾斜のない水平面を持つ環状形部材である。一実施形態では、前記水平面３１６は、液をトラップし保持する。示されるように、液受け部材３１６はドーム３１２と統合成形され；しかし、液受け部材３１６はオプションとして分離部材であってもよい。ディスペンシングノズル３１０は、前記ドーム３１２の下に環状形突起３５０を有する。前記環状形突起３５０は、外側端に向い上方に拡がるフランジ３５２を有し、前記ノズル３１０が前記支持リング４５０内に受けられるようになっており、以下に記述する。
【００２０】
支持リング４５０は、ウェットワイプディスペンサーのキャップ（図示しない）に付属するリム４５２を有する。支持リング４５０は、中央開口４５４を含み、ワイプ１０４ａがそこをパススルーすることを可能とする。環状形突起４５６は、前記リム４５２から下方に拡がりディスペンシングノズル３１０を前記中央開口４５４内に支持する。環状形突起４５６は、内径Ｄ1であり、ディスペンシングノズル３１０の環状形部３５０の外径Ｄ0にほぼ等しく、環状形突起４５６内で前記ノズル３１０の絞りフィットを提供する。環状形突起４５６は、さらにリング４５８を含み前記環状形突起４５６からインナーリップ４６０端まで内側へ拡がっている。リング４５８及びリップ４６０は、受け部４６２を形成し前記ノズル３１０の前記フランジ３５２を絞りフィットで受け、前記ノズル３１０を正しい位置に固定する。ディスペンシングノズル３１０は、追加で又は代替で前記支持リング４５０に何らかの他の手段、例えば、ネジ結合、溶接結合、スナップ−フィット結合、接着ボンド結合又はそのようなもので固定される。
【００２１】
上述で議論されている前記キャップ１０６に関し、前記支持リング４５０は、オプションのスナップカバー（図示しない）に接続する部材を含むこともある。
【００２２】
操作中、ワイプ１０４ａはディスペンシングノズル３１０を通って引き上げられる。ワイプ１０４ａは、ディスペンシングノズル３１０の狭い開口３１４を通って引き上げられるように、液は絞られ又はワイプ１０４ａから流出される。前記液は、前記ドーム３１２の内側に沿って及び液受け部材３１６に流れ落ちる。前記液は前記１０４ａの一部に接触し、液受け部材３１６を通過し前記ワイプ１０４ａを再び湿らせる。したがって、液受け部材３１６は、前期ワイプ１０４ａ全体が確実に湿るようにする。追加で、液受け部材３１６は、長時間液を保持し、前記ワイプ１０４ａが使用する合間に干上がらないようにする。一実施例では、液受け部材３１６及び前記開口３１４のサイズは合わさって再閉カバー（図示しない）の必要性を省きノズル３１０及び支持リング４５０の上に配置される。
【００２３】
さらに、ワイプがオリフィスを通じて引き出される操作中、液はしばしば前記ワイプからスプレーの形態で排出され、特に前記ワイプが容器から急に引き出されるとそうである。一実施形態では、液受け部材３１６は液がスプレーにより排出されるのを防止する。
【００２４】
前記ノズル実施形態１１０及び３１０は、ここでドーム形と図示されているにもかかわらず、他の形状も考えられ、例えば、円錐形のようにである。加えて、液受け部材１１６及び３１６は、環状形でない形状の場合もある。一実施例では、前記液受け部材１１６又は３１６の開口は、長軸のスリットである。他では、前記液受け部材１１６又は３１６の開口は、星形である。他のオプションとしての形状は多角形及び正弦波形状（シヌソイド形状）のスリットである。
【００２５】
本発明は実施形態の記述に例示されており、前記実施形態はかなり詳細に記述されているが、出願人は付加された請求項の範囲をこのような詳細にいか様にも制限又は制約するものと意図しているものではない。追加の利点及び修正は、当業者には容易に現れるだろう。例えば、前記液受け部材は、前記ドーム形ノズルから分離される場合もある。したがって、発明は、広い面で、特定の詳細に制約されるものでなく、代表的な機器及び例示が示され、記述された。それゆえ、出願人の一般的な発明概念の精神又は範囲から離脱することなくこれらの詳細から離れることもある。
【００２６】
本発明は実施形態の記述に例示されており、前記実施形態はかなり詳細に記述さているが、出願人は付加された請求項の範囲をこのような詳細にいか様にも制限又は制約するものと意図しているものではない。追加の利点及び修正は、当業者には容易に現れるだろう。例えば、前記液受け部材は、前記ドーム形ノズルから分離される場合もある。したがって、発明は、広い面で、特定の詳細に制約されるものでなく、代表的な機器及び例示が示され、記述された。それゆえ、出願人の一般的な発明概念の精神又は範囲から離脱することなくこれらの詳細から離れることもある。
【図１】
2015523114.tif 000003
【図２】
2015523114.tif 000004
【図３】
2015523114.tif 000005
【図４】
2015523114.tif 000006
【国際調査報告】
2015523114.tif 000007
2015523114.tif 000008